(57)【特許請求の範囲】
【請求項１】
アンテナ側に取り付けられたアンテナ側取付金具と連結されて、支柱に対しアンテナを取り付けるためのアンテナ取付用支柱側金具であって、
支柱の外周面に当接する支柱当接面と、その支柱当接面の両側に連続してかつ支柱の外周面から離れる方向に曲がって延び、支柱に固定するための支柱固定用ボルトを通す支柱固定用ボルト孔が設けられた支柱当接面とを有する支柱当接面部と、
その支柱当接面部に対しほぼ直交方向に折り曲げられて支柱から離れる方向に延び、前記アンテナ側取付金具と連結するための金具連結用ボルトを通す金具連結用ボルト孔が設けられたアンテナ側金具連結面部とを有し、
前記支柱当接面部における支柱固定用ボルト孔以外の部分と、前記アンテナ側金具連結面部における金具連結用ボルト孔以外の部分との間に補強板を設け、
前記支柱当接面部の支柱固定用ボルト孔に通す支柱固定用ボルトの軸線と、前記補強板の延設方向とは交差しており、
前記補強板は、
前記アンテナ側金具連結面部における金具連結用ボルト孔以外の部分に溶接している部分であって、前記支柱当接面部の支柱固定用ボルト孔に通す支柱固定用ボルトの軸線と交差する部分近傍のアンテナ側金具連結面部からの高さは、少なくとも前記支柱当接面部の支柱固定用ボルト孔におけるアンテナ側金具連結面部側端部の当該アンテナ側金具連結面部からの高さよりも低い形状にすることにより、前記支柱当接面部の支柱固定用ボルト孔に通す支柱固定用ボルトに干渉しないように構成したことを特徴とするアンテナ取付用支柱側金具。
【請求項２】
アンテナ側に取り付けられたアンテナ側取付金具と連結されて、支柱に対しアンテナを取り付けるためのアンテナ取付用支柱側金具であって、
支柱の外周面に当接する支柱当接面と、その支柱当接面の両側に連続してかつ支柱の外周面から離れる方向に曲がって延び、支柱に固定するための支柱固定用ボルトを通す支柱固定用ボルト孔が設けられた支柱当接面とを有する支柱当接面部と、
その支柱当接面部に対しほぼ直交方向に折り曲げられて支柱から離れる方向に延び、前記アンテナ側取付金具と連結するための金具連結用ボルトを通す金具連結用ボルト孔が設けられたアンテナ側金具連結面部とを有し、
前記支柱当接面部における支柱固定用ボルト孔以外の部分と、前記アンテナ側金具連結面部における金具連結用ボルト孔以外の部分との間に補強板を設け、
前記アンテナ側金具連結面部には、
金具連結用ボルト孔として、支柱に対しアンテナの水平角度を調整する際、回転中心となる金具連結用支点ボルトが挿入される金具連結用支点ボルト孔と、金具連結用支点ボルト孔を中心とした円周上に所定角度毎に並んだ複数の金具連結用角度設定ボルト孔とを有し、
前記補強板は、前記支柱当接面部における支柱固定用ボルト孔以外の部分と、前記アンテナ側金具連結面部における金具連結用ボルト孔である金具連結用支点ボルト孔と、金具連結用支点ボルト孔を中心とした円周上に所定角度毎に並んだ複数の金具連結用角度設定ボルト孔の間に一定間隔を離して少なくとも２枚以上溶接されていることを特徴とするアンテナ取付用支柱側金具。
【請求項３】
請求項２記載のアンテナ取付用支柱側金具において、
前記補強板は、
前記支柱当接面部の支柱固定用ボルト孔に通す支柱固定用ボルトに干渉しないように構成したことを特徴とするアンテナ取付用支柱側金具。
【請求項４】
請求項３記載のアンテナ取付用支柱側金具において、
前記支柱当接面部の支柱固定用ボルト孔に通す支柱固定用ボルトの軸線と、前記補強板の延設方向とは交差しており、
前記補強板は、
前記アンテナ側金具連結面部における金具連結用ボルト孔以外の部分に溶接している部分であって、前記支柱当接面部の支柱固定用ボルト孔に通す支柱固定用ボルトの軸線と交差する部分近傍のアンテナ側金具連結面部からの高さは、少なくとも前記支柱当接面部における支柱固定用ボルト孔におけるアンテナ側金具連結面部側端部の当該アンテナ側金具連結面部からの高さよりも低い形状にすることにより、前記支柱当接面部の支柱固定用ボルト孔に通す支柱固定用ボルトに干渉しないように構成したことを特徴とするアンテナ取付用支柱側金具。
【請求項５】
請求項１〜請求項４のいずれか一の請求項に記載のアンテナ取付用支柱側金具において、
前記金具連結用ボルトとして金具連結用角根ボルトを使用してその回転を角根部分で固定できるように、前記アンテナ側金具連結面部の金具連結用ボルト孔のうち補強板に近接する部分には少なくとも２箇所以上の角部を設けたことを特徴とするアンテナ取付用支柱側金具。
【発明の詳細な説明】
【技術分野】
【０００１】
本発明は、アンテナ側に取り付けられたアンテナ側取付金具と連結されて、支柱に対しアンテナを取り付けるためのアンテナ取付用支柱側金具に関する。
【背景技術】
【０００２】
本件出願人は、部品点数を増やさずに簡単にアンテナを取り付けることができるアンテナ側金具として、アンテナ側に取り付けられたアンテナ側取付金具と連結されて、支柱に対しアンテナを取り付けるためのアンテナ取付用支柱側金具を提案している（例えば、特許文献１参照。）。
【先行技術文献】
【特許文献】
【０００３】
【特許文献１】特開２０１２−３４０８７号公報
【発明の概要】
【発明が解決しようとする課題】
【０００４】
しかし、最近は、通信会社が増加すると共に、携帯電話や無線通信の需要が増大しているため、１本の支柱に取り付けるアンテナの本数や重量が増加したり、支柱に対するアンテナの設置角度を大きくして、地表に対するアンテナの電波の照射エリアを狭くする要求があり、アンテナ取付用支柱側金具の強度向上が要求されている。
【０００５】
その一方、アンテナ取付用支柱側金具の強度を向上させた場合でも、アンテナやアンテナ取付用支柱側金具の取付け作業性を犠牲にすることは許されない。
【０００６】
そこで、本発明は、第１には金具自体の強度を向上させることができ、第２には、さらに金具自体の強度を向上させた場合でも金具やアンテナの取付け作業性の悪化を防止できるアンテナ取付用支柱側金具を提供することを目的とする。
【課題を解決するための手段】
【０００７】
上記課題を解決するため、本発明に係るアンテナ取付用支柱側金具は、アンテナ側に取り付けられたアンテナ側取付金具と連結されて、支柱に対しアンテナを取り付けるためのアンテナ取付用支柱側金具であって、支柱の外周面に当接する支柱当接面と、その支柱当接面の両側に連続してかつ支柱の外周面から離れる方向に曲がって延び、支柱に固定するための支柱固定用ボルトを通す支柱固定用ボルト孔が設けられた支柱当接面とを有する支柱当接面部と、その支柱当接面部に対しほぼ直交方向に折り曲げられて支柱から離れる方向に延び、前記アンテナ側取付金具と連結するための金具連結用ボルトを通す金具連結用ボルト孔が設けられたアンテナ側金具連結面部とを有し、前記支柱当接面部における支柱固定用ボルト孔以外の部分と、前記アンテナ側金具連結面部における金具連結用ボルト孔以外の部分との間に補強板を設け、前記支柱当接面部の支柱固定用ボルト孔に通す支柱固定用ボルトの軸線と、前記補強板の延設方向とは交差しており、前記補強板は、前記アンテナ側金具連結面部における金具連結用ボルト孔以外の部分に溶接している部分であって、前記支柱当接面部の支柱固定用ボルト孔に通す支柱固定用ボルトの軸線と交差する部分近傍のアンテナ側金具連結面部からの高さは、少なくとも前記支柱当接面部の支柱固定用ボルト孔におけるアンテナ側金具連結面部側端部の当該アンテナ側金具連結面部からの高さよりも低い形状にすることにより、前記支柱当接面部の支柱固定用ボルト孔に通す支柱固定用ボルトに干渉しないように構成したことを特徴とする。
また、本発明に係る別のアンテナ取付用支柱側金具は、アンテナ側に取り付けられたアンテナ側取付金具と連結されて、支柱に対しアンテナを取り付けるためのアンテナ取付用支柱側金具であって、支柱の外周面に当接する支柱当接面と、その支柱当接面の両側に連続してかつ支柱の外周面から離れる方向に曲がって延び、支柱に固定するための支柱固定用ボルトを通す支柱固定用ボルト孔が設けられた支柱当接面とを有する支柱当接面部と、その支柱当接面部に対しほぼ直交方向に折り曲げられて支柱から離れる方向に延び、前記アンテナ側取付金具と連結するための金具連結用ボルトを通す金具連結用ボルト孔が設けられたアンテナ側金具連結面部とを有し、前記支柱当接面部における支柱固定用ボルト孔以外の部分と、前記アンテナ側金具連結面部における金具連結用ボルト孔以外の部分との間に補強板を設け、前記アンテナ側金具連結面部には、金具連結用ボルト孔として、支柱に対しアンテナの水平角度を調整する際、回転中心となる金具連結用支点ボルトが挿入される金具連結用支点ボルト孔と、金具連結用支点ボルト孔を中心とした円周上に所定角度毎に並んだ複数の金具連結用角度設定ボルト孔とを有し、前記補強板は、前記支柱当接面部における支柱固定用ボルト孔以外の部分と、前記アンテナ側金具連結面部における金具連結用ボルト孔である金具連結用支点ボルト孔と、金具連結用支点ボルト孔を中心とした円周上に所定角度毎に並んだ複数の金具連結用角度設定ボルト孔の間に一定間隔を離して少なくとも２枚以上溶接されていることを特徴とする。
ここで、前記補強板は、前記支柱当接面部の支柱固定用ボルト孔に通す支柱固定用ボルトに干渉しないように構成すると良い。
また、前記アンテナ側金具連結面部には、金具連結用ボルト孔として、支柱に対しアンテナの水平角度を調整する際、回転中心となる金具連結用支点ボルトが挿入される金具連結用支点ボルト孔と、金具連結用支点ボルト孔を中心とした円周上に所定角度毎に並んだ複数の金具連結用角度設定ボルト孔とを有し、前記補強板は、前記支柱当接面部における支柱固定用ボルト孔以外の部分と、前記アンテナ側金具連結面部における金具連結用ボルト孔である金具連結用支点ボルト孔と、金具連結用支点ボルト孔を中心とした円周上に所定角度毎に並んだ複数の金具連結用角度設定ボルト孔の間に一定間隔を離して少なくとも２枚以上溶接されているとさらに良い。
また、前記金具連結用ボルトとして金具連結用角根ボルトを使用してその回転を角根部分で固定できるように、前記アンテナ側金具連結面部の金具連結用ボルト孔のうち補強板に近接する部分には少なくとも２箇所以上の角部を設けるとさらに良い。
【発明の効果】
【０００８】
本発明のアンテナ取付用支柱側金具では、支柱当接面部における支柱固定用ボルト孔以外の部分とアンテナ側金具連結面部における金具連結用ボルト孔以外の部分との間に補強板を設けたため、金具自体の強度を向上させることができる。
また、支柱当接面部の支柱固定用ボルト孔に通す支柱固定用ボルトの軸線と補強板の延設方向とは交差しており、本発明のアンテナ取付用支柱側金具では、補強板は支柱当接面部の支柱固定用ボルト孔に通す支柱固定用ボルトに干渉しないように構成しているため、補強板により補強した場合でも、アンテナの取付け作業性が悪化することを防止できる。
【図面の簡単な説明】
【０００９】
【図１】本発明に係るアンテナ取付用支柱側金具の斜視図である。
【図２】本発明に係るアンテナ取付用支柱側金具の平面図である。
【図３】本発明に係るアンテナ取付用支柱側金具の底面図である。
【図４】本発明に係るアンテナ取付用支柱側金具の正面図である。
【図５】本発明に係るアンテナ取付用支柱側金具の背面図である。
【図６】本発明に係るアンテナ取付用支柱側金具の右面図である。
【図７】図４におけるＡ―Ａ線断面図である。
【図８】図４におけるＢ―Ｂ線断面図である。
【図９】本発明に係るアンテナ取付用支柱側金具における金具連結用ボルトの挿入例１を示す図である。
【図１０】本発明に係るアンテナ取付用支柱側金具における金具連結用ボルトの挿入例２を示す図である。
【図１１】本発明に係るアンテナ取付用支柱側金具における金具連結用ボルトの挿入例３を示す図である。
【図１２】本発明に係るアンテナ取付用支柱側金具を３個連結して支柱に取り付けた例を示す平面図である。
【図１３】本発明に係るアンテナ取付用支柱側金具を３個連結して支柱に取り付け、３つのアンテナ取付用支柱側金具それぞれにアンテナ側取付金具を介してアンテナを取り付けた状態を示す平面図である。
【図１４】本発明に係るアンテナ取付用支柱側金具を３個連結して支柱に取り付け、３つのアンテナ取付用支柱側金具それぞれにアンテナ側取付金具を介してアンテナを取り付けた状態を示す側面図である。
【図１５】本発明に係るアンテナ取付用支柱側金具の補強板の他の形状例を示す一部切欠側面図である。
【図１６】本発明に係るアンテナ取付用支柱側金具の補強板のさらに他の形状例を示す一部切欠側面図である。
【図１７】本発明に係るアンテナ取付用支柱側金具の補強板のさらに他の形状例を示す一部切欠側面図である。
【図１８】本発明に係るアンテナ取付用支柱側金具の補強板のさらに他の形状例を示す一部切欠側面図である。
【発明を実施するための形態】
【００１０】
以下、本発明にかかるアンテナ取付用支柱側金具１の実施形態について、図面を参照して説明する。
【００１１】
実施形態のアンテナ取付用支柱側金具１は、後述する図１３および図１４に示すようにアンテナ４側に取り付けられたアンテナ側取付金具２と連結されて、支柱３に対しアンテナ４を１本〜３本取り付けるためのもので、図１〜図１１に示すようにアンテナ側金具連結面部１１と、支柱当接面部１２と、２枚の補強板１３，１３とを有している。
【００１２】
アンテナ側金具連結面部１１は、支柱当接面部１２に対しほぼ直交方向に折り曲げられて支柱３から離れる方向に延び、アンテナ側取付金具２と連結するための金具連結用ボルトを通す３種類の金具連結用ボルト孔である金具連結用支点ボルト孔１１ａと、その金具連結用支点ボルト孔１１ａを中心としてアンテナ４の水平角度を、例えば、１０度や１５毎等の所定角度で＋−４５度の範囲で設定可能な金具連結用角度設定ボルト孔である金具連結用角度設定第１ボルト孔１１ｂおよび一対の金具連結用角度設定第２ボルト孔１１ｃ，１１ｃが設けられている。
【００１３】
そのため、アンテナ側金具連結面部１１の平面視した形状は、図２や図３等に示すように、金具連結用支点ボルト孔１１ａの大径ボルト孔１１ａ１を中心にしたほぼ扇形形状で、支柱当接面部１２の部分だけ支柱３ｂの外周面に応じて凹んだ（窪んだ）形状をしている。
【００１４】
金具連結用支点ボルト孔１１ａは、金具連結用角根ボルトでない通常の金具連結用支点ボルト５１が挿入されるボルト孔で、後述する図１３に示すように支柱３に対しアンテナ４の水平角度を調整する際、回転中心（支点）となり、金具連結用支点ボルト５１がずれて２箇所位置する大径ボルト孔１１ａ１と小径ボルト孔１１ａ２とが連続した瓢箪形状に形成されている。
【００１５】
金具連結用角度設定第１ボルト孔１１ｂは、図２や図３等に示すように、金具連結用支点ボルト孔１１ａのここでは例えば小径ボルト孔１１ａ２を中心とした円周上に例えば、１０°ずつずらした金具連結用角根ボルトの回転固定用に少なくとも２箇所以上の角部を有する正方形状孔が３つ連続して形成されている。
【００１６】
ここで、金具連結用角度設定第１ボルト孔１１ｂを通常の円形状孔が３つ連続した金具連結用角度設定第１ボルト孔でなく、正方形状孔が３つ連続した金具連結用角度設定第１ボルト孔１１ｂにしたのは、金具連結用角度設定第１ボルト孔１１ｂの両側に後述するように一対の補強板１３，１３が立設されており、一対の補強板１３，１３の間隔が狭く、金具連結用角度設定第１ボルト孔の両側の＋−１０度のボルト孔に金具連結用ボルトを通してナットにより締付ける際に、一対の補強板１３，１３によってラチェットレンチ等の工具を入れ難く、また例えその間に工具を入れたとしても回転操作等の作業が困難であるため、一対の補強板１３，１３の間には工具を入れる作業が不要になるように正方形状孔が３つ連続した金具連結用角度設定第１ボルト孔１１ｂにしている。
【００１７】
なお、正方形状孔が３つ連続した金具連結用角度設定第１ボルト孔１１ｂのうち、中心のほぼ正方形状孔は、工具を入れて作業できる場合には丸孔形状でも良いが、両側のほぼ正方形状孔はそれぞれ両側の補強板１３，１３に近接しており、工具を入れて作業することは困難であるため少なくとも２箇所以上の角部を有する形状にする。
【００１８】
一対の金具連結用角度設定第２ボルト孔１１ｃ，１１ｃは、金具連結用支点ボルト孔１１ａの大径ボルト孔１１ａ１および小径ボルト孔１１ａ２の双方を中心とした円周上に金具連結用角根ボルト５２が通されてアンテナ側取付金具２と連結できるように長孔形状で構成されている。なお、一対の金具連結用角度設定第２ボルト孔１１ｃ，１１ｃが金具連結用支点ボルト孔１１ａの大径ボルト孔１１ａ１および小径ボルト孔１１ａ２となす角度は、約９０度前後としている。
【００１９】
そして、一対の金具連結用角度設定第２ボルト孔１１ｃ，１１ｃの両端部のうち少なくとも一対の補強板１３，１３に近い側の端部は、金具連結用角根ボルト５２の回転固定用に少なくとも２箇所以上の角部を設けた方形状に形成している。これは、一対の金具連結用角度設定第２ボルト孔１１ｃ，１１ｃの両端部のうち、少なくとも一対の補強板１３，１３に近い側の端部は、一対の補強板１３，１３の間の金具連結用角度設定第１ボルト孔１１ｂと同様に、一対の補強板１３，１３によってラチェットレンチ等の工具をセットし難く、また例えその間に工具をセットしたとしても回転操作等の作業が困難であるからである。
【００２０】
以上のように、本実施形態のアンテナ取付用支柱側金具１では、アンテナ側金具連結面部１１における金具連結用支点ボルト孔１１ａ以外の金具連結用角度設定第１ボルト孔１１ｂおよび金具連結用角度設定第２ボルト孔１１ｃ，１１ｃにおける補強板１３，１３に近い側の端部は、少なくとも２箇所以上の角部を設けて金具連結用角根ボルト５２の角根部分を嵌めて回転しないようにしたため、補強板１３，１３に近接してラチェットレンチ等の工具を操作し難い場合でも、金具連結用角根ボルト５２やそのナットを回転させる工具が不要になり、この金具１の取り付け作業性の悪化を防止できる。
【００２１】
図９〜図１０は、本実施形態のアンテナ取付用支柱側金具１における金具連結用ボルトの挿入例１〜３を示す図である。
【００２２】
図９に示す挿入例１は、アンテナ側金具連結面部１１の金具連結用支点ボルト孔１１ａの大径ボルト孔１１ａ１に金具連結用支点ボルト５１を通す一方、金具連結用角度設定第２ボルト孔１１ｃに金具連結用角根ボルト５２を通した挿入例である。
【００２３】
図１０に示す挿入例２は、アンテナ側金具連結面部１１の金具連結用支点ボルト孔１１ａの小径ボルト孔１１ａ２に金具連結用支点ボルト５１を通す一方、図９とは反対側の金具連結用角度設定第２ボルト孔１１ｃに金具連結用角根ボルト５２を通した挿入例である。
【００２４】
図１１に示す挿入例３は、アンテナ側金具連結面部１１の金具連結用支点ボルト孔１１ａの小径ボルト孔１１ａ２に金具連結用支点ボルト５１を通す一方、２枚の補強板１３，１３の間の金具連結用角度設定第１ボルト孔１１ｂの中央の正方形状孔に金具連結用角根ボルト５２を通した挿入例である。
【００２５】
支柱当接面部１２は、アンテナ側金具連結面部１１に対しほぼ９０度で折り曲げられ、後述する図１２〜図１４に示すように支柱３の外周面に当接する部分で、支柱３の外周面形状に湾曲して支柱３の外周面に当接する支柱当接面１２ａと、その支柱当接面１２ａの両側に連続してかつ支柱３の外周面から離れる方向に曲がって延び、支柱３に固定するための支柱固定用部材である支柱固定用ボルト５３を通す支柱固定用ボルト孔１２ｂ１，１２ｂ１が設けられた起立面１２ｂ，１２ｂとを有する。なお、支柱固定用ボルト５３は、後述する柱固定用部材である支柱固定用ナット５３’によって締付けて固定される。
【００２６】
２枚の補強板１３，１３は、それぞれ、支柱当接面部１２における支柱固定用ボルト孔１２ｂ１，１２ｂ１以外の部分と、アンテナ側金具連結面部１１における３種類の金具連結用ボルト孔である金具連結用支点ボルト孔１１ａと、金具連結用角度設定第１ボルト孔１１ｂと、一対の金具連結用角度設定第２ボルト孔１１ｃ，１１ｃ以外の部分との間に溶接されて、この金具１自体の強度を向上させている。
【００２７】
そのため、本実施形態のアンテナ取付用支柱側金具１によれば、アンテナ側金具連結面部１１における金具連結用ボルト孔である３種類の金具連結用支点ボルト孔１１ａ、金具連結用角度設定第１ボルト孔１１ｂおよび金具連結用角度設定第２ボルト孔１１ｃ以外の部分と、支柱当接面部１２における支柱固定用ボルト孔１２ｂ１以外の部分との間に溶接して設けた補強板１３，１３により、金具１自体の強度を向上させることができる。
【００２８】
また、支柱当接面部１２の支柱固定用ボルト孔１２ｂ１に通す支柱固定用ボルト５３の軸線と、補強板１３の延設方向とは交差しており、補強板１３は支柱当接面部１２の支柱固定用ボルト孔１２ｂ１に通す支柱固定用部材である支柱固定用ボルト５３や支柱固定用ナット５３’等に干渉しないように構成したため、補強板１３により補強した場合でも、アンテナ４の取付け作業性が悪化することを防止できる。
【００２９】
ここで、補強板１３，１３の延設方向と、支柱当接面部１２の支柱固定用ボルト孔１２ｂ１，１２ｂ１に通す支柱固定用ボルト５３の軸線は、後述する図１２や図１３等に示すように交差しており、補強板１３，１３は支柱当接面部１２の支柱固定用ボルト孔１２ｂ１，１２ｂ１に通す支柱固定用ボルト５３や支柱固定用ナット５３’が干渉しないような形状に形成されている。
【００３０】
具体的には、補強板１３，１３の形状は、図６に示すようにアンテナ側金具連結面部１１における金具連結用ボルト孔である金具連結用支点ボルト孔１１ａと、金具連結用角度設定第１ボルト孔１１ｂと、一対の金具連結用角度設定第２ボルト孔１１ｃ，１１ｃ以外の部分以外に溶接している部分であって、補強板１３，１３の延設方向と支柱当接面部１２の支柱固定用ボルト孔１２ｂ１，１２ｂ１に通す支柱固定用ボルト５３の軸線と交差する部分近傍のアンテナ側金具連結面部１１からの高さｈ１は、少なくとも支柱当接面部１２における支柱固定用ボルト孔１２ｂ１におけるアンテナ側金具連結面部側端部（図６における上端部）の当該アンテナ側金具連結面部１１からの高さｈ２よりも低く、すなわち支柱固定用ボルト孔１２ｂ１を通る支柱固定用ボルト５３のボルト頭部５３ａ（図１２参照。）や、支柱固定用ボルト５３に螺合する支柱固定用ナット５３’（図１２参照。）の高さも考慮して、支柱当接面部１２の支柱固定用ボルト孔１２ｂ１，１２ｂ１に通す支柱固定用ボルト５３や支柱固定用ナット５３’が当たる等干渉しないように、補強板１３，１３の延設方向と支柱当接面部１２の支柱固定用ボルト孔１２ｂ１，１２ｂ１に通す支柱固定用ボルト５３の軸線と交差する部分近傍の前後で補強板１３，１３の傾斜角度を変え、金具連結用支点ボルト孔１１ａに近い先端側の高さをアンテナ側金具連結面部１１側に低く抑えている。
【００３１】
これにより、本実施形態のアンテナ取付用支柱側金具１によれば、２枚の補強板１３，１３を設けることによってこの金具１自体の強度を向上させても、後述する図１２に示すように、その補強板１３，１３は支柱当接面部１２の支柱固定用ボルト孔１２ｂ１，１２ｂ１を通す支柱固定用ボルト５３や支柱固定用ナット５３’に干渉せず、補強板１３，１３が支柱固定用ボルト５３や支柱固定用ナット５３’の邪魔（障害）にならないので、この点でも金具１の取り付け作業性の悪化を防止できる。
【００３２】
図１２は、本実施形態のアンテナ取付用支柱側金具１を３個連結して支柱３に取り付けた例を示す平面図である。また、図１３は、このアンテナ取付用支柱側金具１を３個連結して支柱３に取り付け、３つのアンテナ取付用支柱側金具１それぞれにアンテナ側取付金具２を介してアンテナ４を３つ取り付けた状態を示す平面図、図１４は、その側面図である。
【００３３】
図１２〜図１４に示すように、３つのアンテナ取付用支柱側金具１と、３本の支柱固定用ボルト５３と、３個の支柱固定用ナット５３’により、３つのアンテナ取付用支柱側金具１を支柱３の周りに１２０度間隔で固定することができる。
【００３４】
その際、上述したように、補強板１３，１３の形状は、支柱固定用ボルト孔１２ｂ１を通る支柱固定用ボルト５３のボルト頭部５３ａや支柱固定用ボルト５３に螺合する支柱固定用ナット５３’の高さも考慮して、支柱当接面部１２の支柱固定用ボルト孔１２ｂ１，１２ｂ１に通す支柱固定用ボルト５３や支柱固定用ナット５３’が干渉しないように、補強板１３，１３の延設方向と支柱当接面部１２の支柱固定用ボルト孔１２ｂ１，１２ｂ１に通す支柱固定用ボルト５３の軸線と交差する部分近傍の前後で補強板１３，１３の傾斜角度を変え、金具連結用支点ボルト孔１１ａに近い先端側の高さを低くしているため、補強板１３，１３は支柱当接面部１２の支柱固定用ボルト孔１２ｂ１，１２ｂ１を通す支柱固定用ボルト５３や支柱固定用ナット５３’に干渉せず、補強板１３，１３が支柱固定用ボルト５３や支柱固定用ナット５３’の邪魔（障害）にならないので、金具１の取り付け作業性の悪化を防止できる。
【００３５】
また、図１３に示すように、アンテナ取付用支柱側金具１のアンテナ側金具連結面部１１における金具連結用角度設定第１ボルト孔１１ｂまたは金具連結用角度設定第２ボルト孔１１ｃと、アンテナ側取付金具２の複数の金具連結用角度設定ボルト孔２ａとを適宜選択して金具連結用角根ボルト５２を挿入することにより、アンテナ取付用支柱側金具１に対するアンテナ側取付金具２およびアンテナ４の取り付け角度を所定範囲内で変更することができる。
【００３６】
なお、上記実施形態では、補強板１３，１３の形状は、図６〜図８等に示すように支柱当接面部１２の支柱固定用ボルト孔１２ｂ１，１２ｂ１に通す支柱固定用ボルト５３や支柱固定用ナット５３’が干渉しないように、補強板１３，１３の延設方向と支柱当接面部１２の支柱固定用ボルト孔１２ｂ１，１２ｂ１に通す支柱固定用ボルト５３の軸線と交差する部分近傍の前後で補強板１３，１３の傾斜角度を変え、金具連結用支点ボルト孔１１ａに近い先端側の高さを低く形成して説明したが、本発明では、これに限らず、支柱固定用ボルト孔１２ｂ１，１２ｂ１への支柱固定用ボルト５３および支柱固定用ナット５３’の取り付け作業性に悪影響を与えなければ良い。
【００３７】
例えば、図１５に示す補強板１３Ａのように、補強板１３Ａの延設方向と支柱当接面部１２の支柱固定用ボルト孔１２ｂ１，１２ｂ１に通す支柱固定用ボルト５３の軸線と交差する部分近傍の前後で補強板１３Ａの傾斜角度を変えず直線的で補強板１３，１３の高さを低いままにしても良いし、図１６に示す補強板１３Ｂのように、下縁部を湾曲形状にしても良いし、さらには図１７に示す補強板１３Ｃの形状でも良い。また、図示はしないが補強板１３，１３を、支柱当接面部１２の支柱固定用ボルト孔１２ｂ１，１２ｂ１に通す支柱固定用ボルト５３や支柱固定用ナット５３’から工具の作動領域だけ離して支柱固定用ボルト孔１２ｂ１，１２ｂ１に通す支柱固定用ボルト５３の軸線と平行に設けることもできる。
【００３８】
また、アンテナ側金具連結面部１１と支柱当接面部１２との間に補強板１３，１３を溶接して補強した場合でも、支柱固定用ボルト孔１２ｂ１，１２ｂ１への支柱固定用ボルト５３および支柱固定用ナット５３’の取り付け作業性が支障にならない場合や、例え支柱固定用ボルト孔１２ｂ１，１２ｂ１への支柱固定用ボルト５３および支柱固定用ナット５３’の取り付け作業性が支障になる場合でも、補強板１３，１３による補強の方が優先である場合には、図１８に示す補強板１３Ｄのように、補強板１３Ｄの高さを高くしたままでも良い。
【００３９】
また、上記実施形態の説明では、補強板１３を２枚設けて説明したが、本発明では、補強板１３の枚数はこれに限らず、１枚でも、３枚以上でも勿論良く、要は、アンテナ側金具連結面部１１における金具連結用ボルト孔１１ａ〜１１ｃ以外の部分と支柱当接面部１２における支柱固定用ボルト孔１２ｂ１以外の部分との間に補強板１２を溶接して補強できるものであれば良い。
【００４０】
また、上記実施形態の説明では、図１３に示すように支柱３の周りにこのアンテナ取付用支柱側金具１を３個連結して取り付け、３つのアンテナ取付用支柱側金具１それぞれにアンテナ側取付金具２を介してアンテナ４を３つ取り付けて説明したが、本発明では、これに限らず、支柱３の周りにこのアンテナ取付用支柱側金具１を１つまたは２つ設け、支柱３の周りに足りない部分は上述の特許文献１に記載された支柱挟持金具等を２つまたは１つ使用してアンテナ４を１つまたは２つ取り付けるようにしても勿論良い。
【００４１】
また、上記実施形態の説明では、図２や図３に示すように金具連結用支点ボルト孔１１ａには通常の角根でない金具連結用支点ボルト５１が使用できるように通常の丸形状のボルト孔で説明したが、補強板１３の干渉などが気になる場合には、金具連結用角度設定第１ボルト孔１１ｂと同様に少なくとも２箇所以上の角部を設けた形状にすることも可能である。
【符号の説明】
【００４２】
１  アンテナ取付用支柱側金具
１１  アンテナ側金具連結面部
１１ａ  金具連結用支点ボルト孔（金具連結用ボルト孔）
１１ｂ  金具連結用角度設定第１ボルト孔（金具連結用ボルト孔）
１１ｃ  金具連結用角度設定第２ボルト孔（金具連結用ボルト孔）
１２  支柱当接面部
１２ａ  支柱当接面
１２ｂ  起立面
１２ｂ１  支柱固定用ボルト孔
１３  補強板
２  アンテナ側取付金具
２ａ  金具連結用角度設定ボルト孔
３  支柱
４  アンテナ
５１  金具連結用支点ボルト
５２  金具連結用角根ボルト
５３  支柱固定用ボルト（支柱固定用部材）
５３’  支柱固定用ナット（支柱固定用部材）
【図１】
0006051147.tif 000002
【図２】
0006051147.tif 000003
【図３】
0006051147.tif 000004
【図４】
0006051147.tif 000005
【図５】
0006051147.tif 000006
【図６】
0006051147.tif 000007
【図７】
0006051147.tif 000008
【図８】
0006051147.tif 000009
【図９】
0006051147.tif 000010
【図１０】
0006051147.tif 000011
【図１１】
0006051147.tif 000012
【図１２】
0006051147.tif 000013
【図１３】
0006051147.tif 000014
【図１４】
0006051147.tif 000015
【図１５】
0006051147.tif 000016
【図１６】
0006051147.tif 000017
【図１７】
0006051147.tif 000018
【図１８】
0006051147.tif 000019